(57)【要約】      （修正有）【課題】電子製品の電磁波障害のテスト結果の精確度を確保できるアンテナ支持部材を提供する。【解決手段】アンテナ支持部材は、台座１０と、台座に立設され且つアンテナ５０がスライド可能に装着されている支持柱１５と、を備える。台座の外表面に、フェライト層１３が被覆されている。台座の頂部１１及び周壁１２の外表面に低周波の輻射を吸収できるフェライト層を被覆しているので、信号に対する反射を効果的に防止することができ、アンテナ５０は、信号を正常に受信して、テスト結果の精確度を確保することができる。【選択図】図１
0003185094.tif 000002
【実用新案登録請求の範囲】
【請求項１】
台座と、前記台座に立設され且つアンテナがスライド可能に装着されている支持柱と、を備えるアンテナ支持部材において、
前記台座の外表面に、フェライト層が被覆されていることを特徴とするアンテナ支持部材。
【請求項２】
前記アンテナ支持部材は、前記アンテナを固定するスライド部材と、前記スライド部材を前記支持柱に対してスライドさせる駆動部と、をさらに備え、前記スライド部材及び前記駆動部は、前記支持柱に装着され、前記駆動部が前記スライド部材を前記支持柱に対してスライドさせることによって、前記アンテナを前記支持柱に対して移動させることを特徴とする請求項１に記載のアンテナ支持部材。
【請求項３】
前記駆動部は、前記支持柱上に設けられ、且つ昇降モーター、ローラ及び伝動ベルトを備え、前記ローラは、前記支持柱の上端部に設けられ、前記伝動ベルトは、前記ローラと前記台座内のローラとを連結し、前記スライド部材は、前記伝動ベルトに固定され、前記昇降モーターの駆動によって、前記スライド部材が前記支持柱に対してスライドすることを特徴とする請求項２に記載のアンテナ支持部材。
【請求項４】
前記台座は、頂部及び周壁を備え、前記頂部及び前記周壁の外表面に前記フェライト層が被覆され、前記フェライト層は、強磁性の金属酸化物からなる複数の片状体であることを特徴とする請求項１から３のいずれか一項に記載のアンテナ支持部材。
【請求項５】
前記台座内には、駆動装置が設けられており、前記台座の底部には、輪部が設けられており、前記駆動装置は、前記輪部を駆動して前記アンテナ支持部材を移動させることを特徴とする請求項１から４のいずれか一項に記載のアンテナ支持部材。
【考案の詳細な説明】
【技術分野】
【０００１】
本考案は、アンテナ支持部材に関する。
【背景技術】
【０００２】
電子製品の電磁波障害（ＥＭＩ）のテストを行なう際に、ＥＭＩテスト用アンテナをアンテナ支持部材に設置してＥＭＩテストを行なう。従来のアンテナ支持部材における制御モーターの外周は、鉄製ケースによって覆われている。従って、アンテナが垂直型アンテナである場合、アンテナと該鉄製ケースとの距離は近く、且つ鉄製ケースは信号を反射し易いので、アンテナが受信する信号の精確度を低下させて、テスト結果に影響を及ぼす問題がある。
【考案の概要】
【考案が解決しようとする課題】
【０００３】
以上の問題点に鑑みて、本考案の目的は、テスト結果の精確度を確保できるアンテナ支持部材を提供することである。
【課題を解決するための手段】
【０００４】
上記の課題を解決するために、本考案のアンテナ支持部材は、台座と、前記台座に立設され且つアンテナがスライド可能に装着されている支持柱と、を備える。前記台座の外表面に、フェライト層が被覆されている。
【考案の効果】
【０００５】
本考案に係るアンテナ支持部材において、台座の外表面にはフェライト層が被覆されており、該フェライト層で、台座が発生した反射信号を効果的に吸収することによって、アンテナのテスト結果の精確度を確保することができる。
【図面の簡単な説明】
【０００６】
【図１】本考案に係るアンテナ支持部材の斜視図である。
【考案を実施するための形態】
【０００７】
以下、図面に基づいて、本考案に係るアンテナ支持部材について詳細に説明する。
【０００８】
図１に示すように、本考案に係るアンテナ支持部材は、駆動装置が内蔵されている台座１０、支持柱１５、スライド部材２０及び駆動部２５を備える。スライド部材２０は、支持柱１５に沿ってスライド可能に支持柱１５に設けられている。アンテナ５０は、スライド部材２０に固定されて、スライド部材２０のスライドに伴って移動する。
【０００９】
台座１０は、頂部１１、周壁１２及び輪部（図示せず）を備える。輪部は、台座１０の底部に設けられ、且つ駆動装置の駆動によって回転して、該台座１０を移動させる。頂部１１及び周壁１２は鉄材料からなり、且つ頂部１１及び周壁１２の外表面には、フェライト（ｆｅｒｒｉｔｅ）層１３が被覆されている。フェライト層１３は、強磁性（ｆｅｒｒｏｍａｇｎｅｔｉｓｍ）の金属酸化物からなる複数の片状体であり、粘着剤による接着又はネジによる固定方式によって頂部１１及び周壁１２の外表面に固定されて、台座１０が発生した低周波の輻射を吸収する。支持柱１５の一端（下端部）は、頂部１１の中央部に固定されている。
【００１０】
駆動部２５は、支持柱１５上に設けられ、且つ昇降モーター（図示せず）、ローラ２５２及び伝動ベルト２５３を備える。ローラ２５２は、支持柱１５の他端（上端部）に設けられ、伝動ベルト２５３は、該ローラ２５２と台座１０内のローラ（図示せず）とを連結する。
【００１１】
スライド部材２０は、支持柱１５にスライド可能に装着されている。スライド部材２０は、矩形のフレームであり、且つ伝動ベルト２５３に固定されて、該伝動ベルト２５３の連動によって支持柱１５に沿ってスライドする。スライド部材２０には、固定部２２が設けられている。アンテナ５０は、固定部２２に装着されている。アンテナ５０の高さは、無線方式又は有線方式によって昇降モーターの回転を制御して伝動ベルト２５３を回転させて、スライド部材２０を支持柱１５に沿ってスライドさせることで調整することができる。
【００１２】
電子製品に対してＥＭＩテストを行なう際、駆動部２５の伝動ベルト２５３によってスライド部材２０を連動して、該スライド部材２０を支持柱１５に沿ってスライドさせて、アンテナ５０の高さを調整する。従来のアンテナ支持部材では、アンテナ５０が台座１０に近接した場合、頂部１１及び周壁１２は鉄材料からなるので、頂部１１及び周壁１２は、反射信号を発生してアンテナ５０の正常な受信を干渉する。しかし、本発明においては、頂部１１及び周壁１２の外表面に低周波の輻射を吸収できるフェライト層１３を被覆しているので、頂部１１及び周壁１２の信号に対する反射を効果的に防止することができる。これにより、アンテナ５０は干渉されず、信号を正常に受信して、アンテナ５０のテスト結果の精確度を確保することができる。
【００１３】
本考案に係るアンテナ支持部材において、台座１０の外表面には、フェライト層１３が被覆されているため、台座１０が発生した反射信号を該フェライト層１３が効果的に吸収することによって、アンテナ５０のテスト結果の精確度を確保することができる。
【００１４】
以上、本考案の好適な実施形態について詳細に説明したが、本考案は前記実施形態に限定されるものではなく、本考案の範囲内で種々の変形又は修正が可能であり、該変形又は修正も又、本考案の実用新案登録請求の範囲内に含まれるものであることは、言うまでもない。
【符号の説明】
【００１５】
１０  台座
１１  頂部
１２  周壁
１３  フェライト層
１５  支持柱
２０  スライド部材
２２  固定部
２５  駆動部
２５２  ローラ
２５３  伝動ベルト
５０  アンテナ
【図１】
0003185094.tif 000003